(57)【要約】      （修正有）【課題】本発明は、コンセントプラグの抜けおよび外部からの接触を防止できる非常用照明装置提供する。【解決手段】照明装置１０は、器具本体１１と、光源部３２と、充電可能な電池部３７と、外部電源または電池部３７からの電力供給により光源部３２を点灯させるとともに外部電源から供給された電力を電池部３７に充電させる電源回路部３３と、外部電源から電源回路部３３へ電力を供給する配線１３と、配線１３に取り付けられたコンセントプラグ３０と、コンセントプラグ３０が接続される取付面に設けられ、コンセントプラグ３０を覆い施錠可能なコンセントカバー４０を有する。【選択図】図１
2018133198.tif 000002
【特許請求の範囲】
【請求項１】
器具本体と；
前記器具本体に設けられた光源部と；
外部電源から供給された電力を充電可能な電池部と；
前記外部電源からの電力供給または、前記外部電源からの電力の供給が遮断された場合に前記電池部からの電力供給により前記光源部を点灯させるとともに前記外部電源から供給された電力を前記電池部に充電させる電源回路部と；
前記外部電源から前記電源回路部へ電力を供給する配線と；
取付面に配設された施錠可能なコンセントカバーに覆われ、前記取付面からの抜けを防止される前記配線に取り付けられたコンセントプラグと；
を具備することを特徴とする非常用照明装置。
【請求項２】
前記コンセントプラグの前記取付面への差し込み方向と前記コンセントプラグと前記配線の取付方向が略直交であることを特徴とする請求項１に記載の非常用照明装置。
【請求項３】
前記コンセントプラグが前記コンセントカバーに覆われた状態で、前記コンセントプラグと前記コンセントカバーの離間距離は、前記コンセントプラグの差し込み金具の長さよりも短いことを特徴とする請求項１または２に記載の非常用照明装置。
【発明の詳細な説明】
【技術分野】
【０００１】
本発明の実施形態は、非常用照明装置に関する。
【背景技術】
【０００２】
従来、外部電源として商用交流電源の停電時にバッテリなどのバックアップ電源によって光源を点灯させる非常時点灯回路を備えた非常用照明装置がある。
【０００３】
このような照明装置は、被取付面である天井面に取り付ける際に、電気工事の施工により外部電源線との接続が必要となり、電気工事士等の資格を有する者に工事を依頼する必要があった。そのため、一般の消費者が自由に非常用照明装置を設置することや、設置場所を変更することが困難である。一方、民泊施設などで一般の消費者が容易に取り付けることができる、一般家庭のコンセントに接続可能なコンセントプラグを備えた非常用照明装置が求められている。
【０００４】
しかし、非常用照明装置はバッテリを充電するために、コンセントプラグは常時コンセントに接続される必要があり、コンセントプラグがコンセントから抜けてはならない。また、民泊施設などに設置した場合、施設利用者がコンセントを使用するために故意にコンセントプラグを抜いてしまうおそれが考えられる。そのため、コンセントプラグがコンセントから抜けないように、コンセントプラグの抜け防止および第三者による外部からコンセントプラグへの接触防止策を有する非常用照明装置が必要である。
【先行技術文献】
【特許文献】
【０００５】
【特許文献１】特開２０１６−９１７４３号公報
【発明の概要】
【発明が解決しようとする課題】
【０００６】
本発明が解決しようとする課題は、コンセントプラグの抜けおよび外部からの接触を防止できる非常用照明装置を提供することである。
【課題を解決するための手段】
【０００７】
実施形態の照明装置は、器具本体と、光源部と、充電可能な電池部と、外部電源または電池部からの電力供給により光源部を点灯させるとともに外部電源から供給された電力を電池部に充電させる電源回路部と、外部電源から電源回路部へ電力を供給する配線と、配線に取り付けられたコンセントプラグと、コンセントプラグが接続される取付面に設けられ、コンセントプラグを覆い施錠可能なコンセントカバーを有する。
【発明の効果】
【０００８】
本発明によれば、コンセントプラグの抜けおよび外部からの接触を防止できる非常用照明器具の提供が期待できる。
【図面の簡単な説明】
【０００９】
【図１】実施形態の非常用照明装置を示す側面図である。
【図２】同上非常用照明装置を示す上面図である。
【図３】同上非常用照明装置を示す下面図である。
【図４】同上非常用照明装置を分解して示す斜視図である。
【図５】同上非常用照明装置の内部構成を示す斜視図である。
【図６】実施形態のコンセントカバー(カバー部開)を示す正面図である。
【図７】同上コンセントカバー(カバー部閉)を示す正面図である。
【図８】同上コンセントカバー(カバー部閉)を示す側面図である。
【発明を実施するための形態】
【００１０】
以下、実施形態を図面を参照して説明する。
【００１１】
図１ないし図５に示すように、非常用照明装置１０は、停電時などの非常時に点灯する非常灯である。この照明装置１０は、被取付面としての天井面に取り付けられて設置される。具体的には、図１に示すように、照明装置１０は天井面に対し下向きに取り付けられる。そのため、本実施形態では、照明装置１０の天井面側の面を上面とし、天井面側と反対側の面を下面として説明する。
【００１２】
図１ないし図３を併せて参照して示すように、照明装置１０は、器具本体１１と、この器具本体１１に配設される光源３２と、電池部１４と、配線１３と、コンセントプラグ３０とコンセントカバー４０を備えている。
【００１３】
主として図１に示すように、器具本体１１は、ベース板１６とカバー１５で構成されており、金属製で円板状に形成されたベース板１６に、金属製で上面が開口した有底円筒状に形成されているカバー１５が取り付けられて形成される。器具本体１１の上面側の略中央には配線１３を導出すための配線孔２０が円形状に形成されている。カバー１５の底面部には、中央に光源部３２のレンズが挿通して露出される光源用開口５０が円形状に形成される。
【００１４】
図４および図５に示すように、光源部３２は、電源回路部３３と放熱器３１と一体的に組み合わされて構成されている。
【００１５】
放熱器３１は、例えば、アルミダイガスト製で、ねじ止めにより器具本体１１の中央に固定されているとともに、器具本体１１と熱的に接続される。つまり、放熱器３１は一端側が器具本体１１の中央にねじ止めにより固定され、他端側に光源部３２が設置され、光源部３２からの熱を放熱できるようになっている。
【００１６】
光源部３２は、ＬＥＤが実装された発光モジュールおよび発光モジュールから放射された光の配光を制御する透明なガラス製または樹脂製のレンズを有する。
【００１７】
電源回路部３３は、商用交流電源などの外部電源が接続され電力が入力される。電源回路部３３は、外部電源により電池ユニット１４（電池部３７）を充電する充電回路、外部電源の停電を検出する停電検出回路、停電検出時に電池ユニット１４（電池部３７）の電源で発光モジュールを点灯させる点灯回路、電池ユニット１４（電池部３７）の状態および発光モジュールの状態などを点検する点検回路などを有している。さらに、電源回路部３３は、下部に配設される点検スイッチ３５、モニタランプ、受信部および送信部を有している。
【００１８】
電池ユニット１４は、電池部３７と、電池取付金具３８と、電池固定ばね３９とを備えている。電池部３７は、扁平な略直方体形状をなしていて、例えば、ニカド電池、ニッケル水素電池、あるいはリチウム電池などの充電可能な電池である。
【００１９】
電池取付金具３８は、器具本体１１に取り付けられ、電池部３７を囲うように金属板で折曲して形成されている。
【００２０】
電池固定ばね３９は、金属の棒状体を折り曲げて形成され、電池部３７を電池取付金具３８に着脱可能に保持するために電池取付金具３８に取り付けられている。
【００２１】
電池部３７は、電源回路部３３に接続され、電源回路部３３の充電回路から供給される電力によって充電されるとともに、停電などの非常時に電源回路部３３に電力を供給する。
【００２２】
配線１３は、絶縁被覆された電源線であり、一端側が電源回路部３３に対して電気的に接続されており、他端側は器具本体１１の配線孔２０から器具本体１１の外部へ導出される。この配線１３の他端側の先端には雄型コンセントプラグ３０が接続され、このコンセントプラグ３０は家庭用１００Ｖ雌型コンセント６０に差し込まれ接続される。図１に示すように、コンセント６０に対するコンセントプラグ３０の差し込み方向と、コンセントプラグ３０に対する配線１３の接続方向は交差しており、具体的には略直交の関係を有する。これにより、配線１３方向に外部応力が加わった場合、配線１３方向と略直交方向の関係にあるコンセントプラグ３０の差し込み金具３１がコンセント６０に差し込まれているため、差し込み金具３１がコンセント６０に引っかかり抜けにくい。
【００２３】
図６ないし図８に示すように、コンセント６０に差し込まれたコンセントプラグ３０は、コンセント６０の取付面に設けられたコンセントカバー４０に覆われる。
【００２４】
このコンセントカバー４０は、取付面に設けられたカバー取付部４１とカバー部４２から構成される。カバー取付部４１はコンセント６０の周囲を覆うように形成される。カバー部４２は、開閉自在であり、コンセントプラグ３０がコンセント６０に接続された状態で閉めることによりコンセントプラグ３０をカバー部４２で覆うことができる。図８に示すように、このカバー部４２は、コンセントプラグ３０がコンセント６０に接続された状態で閉めた場合、コンセントプラグ３０とカバー部４２との離間距離Ａはコンセントプラグ３０の差し込み金具３１の長さＢよりも短くなるように形成されている。これにより、コンセントプラグ３０がコンセント６０から抜ける方向に動いてもコンセントプラグ３０がカバー部４２に接触し、コンセントプラグ３０が差し込み金具３１の長さ以上に動くことができないためコンセントプラグ３０は抜けない。つまり、コンセントプラグ３０は、取付面に配設されたコンセントカバーによって覆われることにより、コンセント６０からの抜けを防止することができる。そのため、常時電池部３７を充電し続けることができ、防災用としての信頼性を担保出来る。
【００２５】
また、カバー部４２は、閉めた状態でコンセントプラグ３０からの配線１３を導出させるためにコンセントプラグ３０よりも小さい配線導出孔４３を有する。これにより、コンセントプラグ３０付近の配線１３は配設導出孔４３の大きさの範囲以上に動くことができないため、コンセントプラグ３０がコンセント６０から抜けること防止できる。
【００２６】
また、カバー取付部４２は、施錠部４４を有しており、コンセントプラグ３０をコンセント６０に接続した状態でカバー部４２を閉め施錠することにより、カバー取付部４１とカバー部４２を固定することができる。これにより、外部からコンセントプラグ３０への接触を防ぐことができる。
【００２７】
つまり、コンセントプラグ３０は、取付面に配設された施錠可能なコンセントカバー４０によって覆われ施錠されることにより、外部からの接触を防止される。
【００２８】
以上のように、本実施形態によれば、照明装置１０は、コンセントプラグ３０を施錠可能なコンセントカバー４０で覆うことにより、簡単にコンセントプラグ３０が抜けずに防災用照明装置として電池部３７を充電し続けることができる。そのため、防災としての信頼性を担保出来る。また、施錠可能なコンセントカバー４０で覆うことにより、管理者以外がコンセントプラグ３０を抜くことができず、配線３０に負荷がかかった場合でもコンセント３０プラグが抜けない。また、一般家庭の既設のコンセントを使用することができるため、設置予定でなかった場所に照明器具１０を設置することができ、設置の自由度がある。そのため、民泊などの施設でも一般消費者が取付および利用できる非常用照明装置とすることができる。
【００２９】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１０   照明装置
１１   器具本体
３２   光源部
３７   電池部
３３   電源回路部
１３   配線
３０   コンセントプラグ
４０   コンセントカバー
【図１】
2018133198.tif 000003
【図２】
2018133198.tif 000004
【図３】
2018133198.tif 000005
【図４】
2018133198.tif 000006
【図５】
2018133198.tif 000007
【図６】
2018133198.tif 000008
【図７】
2018133198.tif 000009
【図８】
2018133198.tif 000010